(57)【要約】【課題】吸引ノズルを左右に駆動する電気モータの負荷が桟を乗り上げるたびに変動し、電気モータの信頼性が低下する。【解決手段】熱交換器を通過する空気の塵埃を除去するエアフィルタと、前記エアフィルタに沿って移動可能な吸引ノズルと、吸引ノズルに取り付けられたブラシと、前記吸引ノズルに連結された吸引装置により構成される吸引方式によるフィルタ自動清掃機能を有する空気調和機において、左右に移動するノズルのブラシの一部をフィルタ枠の横桟の表面と摺動させることで、吸引ノズルを左右に駆動する際吸引ノズルに取り付けられたブラシと横桟の抵抗を一定に保つことができ、左右駆動用電気モータの信頼性を向上することが可能となる。【選択図】図８
2008111599.tif 000002
【特許請求の範囲】
【請求項１】
熱交換器を通過する空気の塵埃を除去するフィルタと、前記フィルタに沿って左右に駆動可能な吸引ノズルと、前記吸引ノズルに連結された吸引装置と、前記吸引ノズルは、開口部と、前記開口部を覆いつつ前記開口部に沿って駆動可能なベルトを具備し、前記ベルトには吸引孔が設けられ、前記吸引の横に沿ってブラシを配置し、前記ベルトを駆動することで吸引する場所を可変するフィルタ装置において、前記吸引ノズルが左右移動時に少なくとも前記ブラシの一部が前記フィルタを構成する横桟の表面を摺動することを特徴とする空気調和機のフィルタ装置。
【請求項２】
フィルタを構成する横桟の太さを縦桟に比較して細くしたことを特徴とする請求項１記載の空気調和機のフィルタ装置。
【請求項３】
フィルタを構成する横桟のうち、天面側に位置する横桟だけをブラシの一部と摺動することを特徴とする請求項１記載の空気調和機のフィルタ装置。
【請求項４】
フィルタを天面側から全面側に亘って一体化し、左右に２分割したことを特徴とする請求項１記載の空気調和機のフィルタ装置。
【請求項５】
フィルタを天面側から全面側に亘って一体化し、左右も一体化したことを特徴とする請求項１記載の空気調和機のフィルタ装置。
【発明の詳細な説明】
【技術分野】
【０００１】
本発明は、フィルタの清掃を自動的に行うようにした空気調和機のフィルタ装置に関するものである。
【背景技術】
【０００２】
従来の空気調和機のフィルタ装置は、熱交換器を通過する空気の塵埃を除去するフィルタと、前記フィルタに沿って移動可能な吸引ノズルと、前記吸引ノズルに連結された吸引装置により構成される吸引方式によるフィルタ自動清掃機能を有する空気調和機において、ノズル開口部をふさぐことができるようにノズル開口部を覆いつつ、ノズル開口部に沿うようにベルトを配置し、なおかつそのノズル開口部上のベルトの一部分に穴（以下、吸引孔と記す）をあけておくことで、ノズル開口部の一部分のみを開口するものである。加えて、ベルトを駆動可能にすることで、吸引する場所を可変することができるようにしたものである。こうした構成により、吸引は吸引孔に絞られるので、強い吸引力を維持しつつ吸引風量を低減し、吸引装置の出力を大幅に低減することが可能となる。この場合、吸引清掃できるのはベルト上に設けられた吸引孔の下にあるエアフィルタ部分だけとなるが、吸引ノズルをエアフィルタに沿って往復させる毎にベルトを駆動し、吸引孔の位置を順次切り替えることでエアフィルタ全面をスイープして清掃することは可能であり、極めて小出力の吸引装置でもエアフィルタ全面を充分に吸引清掃することが可能となる。また、吸引ノズルにはベルト部分に沿ってブラシを配置されている。これにより、フィルタ上に強く付着してしまって吸引清掃だけでは除去しきれない塵埃も、ブラシが掻き取る力を利用して清掃除去することが可能となる。
【０００３】
このため、フィルタのメンテナンスの手間を低減する目的で、特許文献１のようにフィルタに付着した塵埃を吸引およびブラシにて定期的に清掃する自動清掃装置が考案されている。
【特許文献１】特開２００１−９９４７９号公報
【発明の開示】
【発明が解決しようとする課題】
【０００４】
しかしながら、上記従来技術では吸引ノズルを電気モータにより左右に駆動する際、吸引ノズルに付けられたブラシとフィルタがお互いにこすられており、比較的強度の弱いフィルタ部分をブラシがこする際の抵抗と比較的強度の強い桟部分をブラシがこする際の抵抗では差異が生じる。
【０００５】
これにより、吸引ノズルを左右に駆動する電気モータの負荷が桟を乗り上げるたびに変動し、電気モータの信頼性が低下するという課題があった。
【課題を解決するための手段】
【０００６】
上記課題を解決するため本発明は、吸引ノズルが左右移動時に少なくともブラシの一部がフィルタを構成する横桟の表面に摺動させたものである。
【発明の効果】
【０００７】
以上のように本発明によれば、フィルタ付着する塵埃を吸引ノズルによる吸引およびブラシによって自動清掃する機能を有する空気調和機において、吸引ノズルを左右に駆動する電気モータの負荷が常に一定に保たれるため、左右駆動電気モータの信頼性を向上することが可能となる。
【発明を実施するための最良の形態】
【０００８】
以下、本発明の実施の形態について、図面を参照しながら説明する。
【０００９】
（実施の形態１）
本発明の実施の形態１について、図１、図２、図３、図４、図５、図６、図７、図８、図９、図１０を用いて説明する。
【００１０】
まず、図１は本発明の実施の形態１における空気調和機のフィルタ装置の構成の例を示した図である。この図において熱交換器を通過する空気の塵埃を除去するフィルタは、フィルタ枠１と、フィルタ網２から構成され、そのフィルタの表面に沿って移動可能な吸引ノズル３が設けられる（吸引ノズル３の構造詳細については後に記述するため、ここでの詳細記述は割愛する）。
【００１１】
吸引ノズル３はフィルタ枠の上下端に設置されたガイドレール４により、エアフィルタと極めて狭い間隙を保って円滑に左右に移動することができる。フィルタ上に付着した塵埃はこの吸引ノズル３より吸引される。
【００１２】
さらに、吸引ノズル３には吸引ダクト５が連結され、さらに吸引ダクト５は吸引装置６に連結される。
【００１３】
吸引ダクト５は吸引ノズル３の移動に差し支えないように折り曲げ可能なダクトで形成される。
【００１４】
さらに、吸引装置６には排気ダクト７が連結され、室外へ引き回される。吸引ノズル３により吸引されたエアフィルタの塵埃は吸引ダクト５、吸引装置６、排気ダクト７を経由して室外へ排出される。
【００１５】
次に、図２、図３、を用いて吸引ノズル３の構造詳細を説明する。図２は、上記フィルタ装置の構成における、吸引ノズル３の構造を示した図であり、吸引ノズルを斜め上方向から見た図である。
【００１６】
吸引ノズル３は主に、吸引した風の流通路となるノズル８と、ノズル８を囲むように設けられた幅３０ｍｍのベルト９から構成される。ノズル８のエアフィルタ側の面には、３２０ｍｍの長さ（フィルタの縦長さに相当）で、幅は７ｍｍのスリット状のノズル開口部１０が設けてある。
【００１７】
一方、ベルト９はループ状に形成され、ノズル開口部１０を覆うようにノズル８の外周に巻き付けられる。
【００１８】
ベルト９には長さ８０ｍｍ（フィルタの縦長さの１／４）で幅５ｍｍの吸引孔１１が設けてあり、吸引孔１１の位置はノズル開口部１０の真上にくるようにベルト９は取り付けられる。
【００１９】
ベルト９の両端には映画フィルムのように等間隔の駆動穴１２が設けられており、ノズル８上に固定されたステッピングモータ１３に取り付けられた歯車１４が、この駆動穴１２にかみ合わさることによってベルト９は上下方向のいずれにも自由に駆動できるようになっている。
【００２０】
図３は図２におけるノズル８とベルト９を別々にして示した図である。また、図５は吸引ノズル３の断面図である。吸引ノズル３において、ブラシ１５をベルト９に沿って横に
配置しており、ブラシ１５は起毛布の毛足の短いもの（いわゆるエチケットブラシ）などを用いるのが良い。
【００２１】
ブラシはエアフィルタ上に強く付着してしまって吸引清掃だけでは除去しきれない塵埃も掻き取ることできるので、この効果を利用してより高性能なフィルタ清掃を行うことが可能となる。
【００２２】
本実施例においては上記構成の吸引ノズル３にてフィルタの全面を吸引清掃を行うので、その具体的動作について、図４を用いて説明する。図４は図１に記載したエアフィルタの清掃範囲１〜４に応じた吸引孔の位置を示した図（吸引ノズルを背面から見た図）である。
【００２３】
なお、実際の吸引ノズルは図１に示されるように、エアフィルタに沿って折れ曲がった構造をとるが、図４においては見やすくするため吸引ノズルを真直に伸ばした状態で記載している。
【００２４】
まず、図１におけるエアフィルタの１の範囲を吸引清掃する場合、ベルトを駆動して吸引孔を図４の１の位置に固定する。この状態で吸引しながら吸引ノズルをエアフィルタの右端から左端まで駆動することで図１におけるエアフィルタの１の範囲が吸引清掃できる。
【００２５】
次に、図１におけるフィルタの２の範囲の吸引清掃に移行するため、ベルトを駆動して吸引孔を図４の２の位置に固定する。同様に、この状態で吸引しながら吸引ノズルをエアフィルタの左端から右端まで駆動することで今度は図１におけるエアフィルタの２の範囲が吸引清掃できる。同様にして図１におけるエアフィルタの３、４の範囲も吸引清掃できる。
【００２６】
図５はこの吸引清掃の順序を矢印にてしめした図であるが、左右駆動電気モータ１６により横スイープの吸引動作を行うことでエアフィルタ全面を清掃することができる。図７においてブラシ１５を向かって左に移動する際、比較的強度の弱いフィルタ網２の部分はブラシ１５の押し付け圧力によりたわみやすい。
【００２７】
それに対してフィルタ枠１は比較的強度が強いためブラシ１５の押し付け圧力によりたわみにくい。
【００２８】
それによりフィルタ枠１をブラシ１５が通過する際、段差となりブラシ１５とフィルタ枠１との間に抵抗が生じる。この抵抗が図６における左右駆動電気モータ１６にかかり、左右駆動電気モータ１６の信頼性の低下を招いてしまう。
【００２９】
図８において、蛇行している矢印はブラシの軌跡を描いたものである。フィルタ枠１の横桟は常にブラシと摺動する位置に配置されている。これによりブラシ１５とフィルタ枠１の横桟は、常に接触しており、ブラシ１５とフィルタ枠１との間の抵抗を一定に保つことができる。
【００３０】
従って左右駆動電気モータ１６の負荷変動を少なくすることができ、信頼性の向上を図る事ができる。
【００３１】
（実施の形態２）
本発明の実施の形態２について、図９を用いて説明する。フィルタ枠１の強度を保ったまま、横桟の太さを細くして、縦桟の太さを太くする。これにより、吸引孔のサイズを小
さくして、より大きな吸引風量を確保したい場合に、吸引ノズルのブラシの移動列数を増やしたとしても、空気調和機としての通風抵抗を上げることなく、横桟の数を吸引孔の移動場所に応じて増やすことができるため、左右駆動電気モータ１６の負荷変動を少なくすることができ、信頼性の向上を図る事ができる。
【００３２】
（実施の形態３）
本発明の実施の形態３について、図７と図９を用いて説明する。フィルタ枠１の構成において、ノズル駆動部よりも離れている天面側の横桟１ａ及び１ｂの表面をブラシと摺動させることで、ブラシ１５とフィルタ枠１の乗り上げ抵抗を一定に保つことができ、左右駆動電気モータ１６の負荷変動を少なくすることができ、左右駆動電気モータ信頼性の向上を図る事ができる。
【００３３】
（実施の形態４）
本発明の実施の形態４について図１０を用いて説明する。フィルタ桟１の構成において、上下のフィルタ枠を一体化することで、上下のつなぎ目部分（横桟幅が太くなる部分）でのブラシとフィルタ枠との抵抗を減少させることができ、左右駆動電気モータ１６の負荷変動を少なくすることができ、左右駆動電気モータ信頼性の向上を図る事ができる。
【００３４】
（実施の形態５）
本発明の実施の形態５について図７と図１１を用いて説明する。フィルタ桟１の構成において、左右フィルタ枠を一体化することで、左右のつなぎ目部分でのフィルタ桟同士の段差によるブラシ１５とフィルタ枠１の乗り上げ抵抗を減少させることができ、左右駆動電気モータ１６の負荷変動を少なくすることができ、左右駆動電気モータ信頼性の向上を図る事ができる。
【産業上の利用可能性】
【００３５】
以上のように、本発明は、フィルタ付着する塵埃を吸引ノズルによる吸引およびブラシによって自動清掃する機能を有する空気調和機において、吸引ノズルを左右に駆動する電気モータの負荷が常に一定に保たれるため、左右駆動電気モータの信頼性を向上することができるので、空気清浄機など、フィルタに塵埃が付着するような機器にも適用可能である。
【図面の簡単な説明】
【００３６】
【図１】本発明の実施の形態１における空気調和機のフィルタ装置の構成の例を示した図
【図２】本発明の実施の形態１における吸引ノズルの構造を示した図
【図３】本発明の実施の形態１における吸引ノズルの構造をノズルとベルトを別々にして示した図
【図４】本発明の実施の形態１におけるエアフィルターの清掃範囲に応じた吸引孔の位置を示した図
【図５】本発明の実施の形態１における吸引ノズルの断面図
【図６】本発明の実施の形態１における吸引清掃順序を示した図
【図７】本発明の実施の形態１における吸引ノズルの断面図
【図８】本発明の実施の形態１における吸引清掃順序を示した図
【図９】本発明の実施の形態２及び３におけるフィルタ枠の構造を示した図
【図１０】本発明の実施の形態４におけるフィルタ枠の構造を示した図
【図１１】本発明の実施の形態５におけるフィルタ枠の構造を示した図
【符号の説明】
【００３７】
１  フィルタ枠
２  フィルタ網
３  吸引ノズル
４  ガイドレール
５  吸引ダクト
６  吸引装置
７  排気ダクト
８  ノズル
９  ベルト
１０  ノズル開口部
１１  吸引孔
１２  駆動穴
１３  ステッピングモータ
１４  歯車
１５  ブラシ
１６  左右駆動用電気モータ
１７  フィルター同士のつなぎ目部分
【図１】
2008111599.tif 000003
【図２】
2008111599.tif 000004
【図３】
2008111599.tif 000005
【図４】
2008111599.tif 000006
【図５】
2008111599.tif 000007
【図６】
2008111599.tif 000008
【図７】
2008111599.tif 000009
【図８】
2008111599.tif 000010
【図９】
2008111599.tif 000011
【図１０】
2008111599.tif 000012
【図１１】
2008111599.tif 000013